(57)【特許請求の範囲】
【請求項１】
髪の手入れを行なう髪ケア装置であって、荷電粒子を対象物に向けて放出する荷電粒子（イオン）発生手段を有する髪ケア装置本体と、荷電粒子が対象物に継続して誘引／吸着されるように対象物の電位を保持するための電位保持手段とが別体で構成されていると共に、電位保持手段に外部から電圧を供給する外部電源を設け、前記電位保持手段の電源を前記髪ケア装置本体の電源と別供給としたことを特徴とする髪ケア装置。
【請求項２】
前記電位保持手段は、対象物である被施術者が手で握ることができる形状となっていることを特徴とする請求項１記載の髪ケア装置。
【請求項３】
前記電位保持手段は、対象物である被施術者が座る椅子の一部に配置されることを特徴とする請求項１記載の髪ケア装置。
【請求項４】
前記電位保持手段は、対象物である被施術者の足を乗せる形状となっていることを特徴とする請求項１記載の髪ケア装置。
【請求項５】
前記電位保持手段は、対象物である被施術者に対して着脱可能な導電性を有する接続部材を備えていることを特徴とする請求項１記載の髪ケア装置。
【発明の詳細な説明】
【技術分野】
【０００１】
本発明は、髪ケア装置に関し、詳しくは荷電粒子を放出する手段と対象物である人体の電位を保持する手段とを備えた髪ケア装置に関するものである。
【背景技術】
【０００２】
従来、荷電粒子（マイナス空気イオン）を放射させる機能を持ったヘアードライヤー、ヘアーブラシ、ヘアーアイロン等の各種の髪ケア装置が提供されている。これらの髪ケア装置では、毛髪を乾燥させると同時に毛髪に対しイオンを放出することにより、毛髪がしっとり、さらさらになるという効果を高めることができる。
【０００３】
その一例として、図１０に示すように、荷電粒子１を対象物３である被施術者に向けて放出する荷電粒子（イオン）発生手段２と、荷電粒子１が人体等の対象物３に継続して誘引／吸着されるように対象物３の電位を保持するための電位保持手段４とを一体に備えた髪ケア装置７’が知られている（例えば、特許文献１参照）。
【０００４】
上記特許文献１に見られる従来の髪ケア装置７’では、電位保持手段４によって対象物３の電位Ｖを荷電粒子１と反対の電位、もしくは荷電粒子１の電位よりも低いレベルに保持することができるため、荷電粒子（イオン）発生手段２から荷電粒子１が対象物３に当たり続けることができ、より多くの荷電粒子１を対象物３に誘引させることができ、更に継続して吸着させることができ、荷電粒子１を形成している物質が継続して対象物３に作用（付着）できるようになる。
【０００５】
ところで、従来の荷電粒子（イオン）発生手段２と電位保持手段４とを一体に設けた髪ケア装置７’では、対象物３である被施術者が髪ケア装置７’に設けた電位保持手段４に触れている場合は、継続して荷電粒子１を付着させることができるが、仮りに対象物３が電位保持手段４に触れない場合、例えば美容室や理容室、エステティックサロン等のように従事者が髪ケア装置７’を用いる場合は対象物３である客は電位保持手段４には触れられないため、荷電粒子（イオン）発生手段２から発生した荷電粒子１を客に継続して付着させることができなくなり、荷電粒子１による髪ケアができなくなるという課題がある。さらに、荷電粒子（イオン）発生手段２と一体化される電位保持手段４の内部には電源も内蔵されているため、電位保持手段４が大きくなったり、重くなるといった課題もある。
【特許文献１】特開２００３−５９６２２号公報
【発明の開示】
【発明が解決しようとする課題】
【０００６】
本発明は上記の従来の問題点に鑑みて発明したものであって、対象物である被施術者自らが髪ケアをする場合のみならず、他人に髪ケアをしてもらう場合でも、電位保持手段に対象物が触れるだけで、多くの荷電粒子を対象物に継続して誘引／吸着させることができ、毛髪がしっとり、さらさらになる効果を高めることができると共に、電位保持手段の小型化・軽量化を容易に達成できるようにした髪ケア装置を提供することを課題とするものである。
【課題を解決するための手段】
【０００７】
前記課題を解決するために本発明は、髪の手入れを行なう髪ケア装置であって、荷電粒子１を対象物３に向けて放出する荷電粒子（イオン）発生手段２を有する髪ケア装置本体５と、荷電粒子１が対象物３に継続して誘引／吸着されるように対象物３の電位を保持するための電位保持手段４とが別体で構成されていると共に、電位保持手段４に外部から電圧を供給する外部電源６を設け、前記電位保持手段４の電源を前記髪ケア装置本体５の電源と別供給としたことを特徴としている。
【０００８】
このような構成とすることで、対象物３である被施術者自らが髪ケアをする場合だけでなく、例えば美容室や理容室、エステティックサロン等のように他人に髪ケアをしてもらう場合であっても、髪ケア装置本体５とは別体の電位保持手段４を対象物３に接続するだけで、対象物３の電位を継続して荷電粒子１と反対の電位、若しくは荷電粒子１の電位よりも低いレベルに保持することができると共に荷電粒子（イオン）発生手段２から荷電粒子１が対象物３に当たり続けることができるようになる。しかも電位保持手段４への電圧供給は外部電源６から行なわれるので、電位保持手段４内部に電源を設けた場合と比較して、電位保持手段４の小型化・軽量化が容易となる。
【０００９】
また、前記電位保持手段４は、対象物３である被施術者が手で握ることができる形状となっているのが好ましく、この場合、被施術者が髪ケア装置本体５に触れなくても電位保持手段４を手で握るという簡単な行為で、被施術者は電位保持手段４の電位と同じ電位を得ることができるので、髪ケア装置本体５から放出される荷電粒子１の誘引／吸着を受けることができるようになり、そのうえ持ち運びが可能な状態で電位保持手段４との接続を容易に行なうことができる。
【００１０】
また、前記電位保持手段４は、対象物３である被施術者が座る椅子５０の一部に配置するのが好ましく、この場合、被施術者が髪ケア装置本体５に触れなくても椅子５０に座るという簡単な行為で、被施術者は電位保持手段４の電位と同じ電位を得ることができるので、髪ケア装置本体５から放出される荷電粒子１の誘引／吸着を受けることができるようになり、そのうえ両手が制約されない自由な座り姿勢で電位保持手段４との接続を容易に行なうことができる。
【００１１】
また、前記電位保持手段４は、対象物３である被施術者の足を乗せる形状となっているのが好ましく、この場合、髪ケアを行なう被施術者が電位保持手段４に足を乗せるだけの簡単な行為で、被施術者は電位保持手段４の電位と同じ電位を得ることができるので、髪ケア装置本体５から放出される荷電粒子１の誘引／吸着を受けることができる。
【００１２】
また、前記電位保持手段４は、対象物３である被施術者に対して着脱可能な導電性を有する接続部材６０を備えているのが好ましく、この場合、接続部材６０を被施術者に接続することで被施術者は電位保持手段４の電位と同じ電位を得ることができるので、被施術者は電位保持手段４に直接接触することなく、髪ケア装置本体５から放出される荷電粒子１の誘引／吸着を受けることができる。
【発明の効果】
【００１３】
本発明は、対象物である被施術者自らが髪ケアをする場合のみならず、他人に髪ケアをしてもらう場合でも、髪ケア装置本体とは別体の電位保持手段を対象物に接続することにより、多くの荷電粒子を対象物に継続して誘引／吸着させることができ、これにより荷電粒子を形成している物質が毛髪に作用（付着）して、毛髪がしっとり、さらさらになる効果を高めることができるものであり、さらに電位保持手段を髪ケア装置本体から別体とし且つ外部電源によって電位保持手段内部に電源を設けなくて済むので、電位保持手段の小型化・軽量化を容易に達成でき、電位保持手段を対象物に対して楽に接続できるようになり、結果、髪ケア効果と使い勝手の両方を満足させることができるものである。
【発明を実施するための最良の形態】
【００１４】
以下、本発明を添付図面に示す実施形態に基いて説明する。
【００１５】
図１は、本実施形態の髪の手入れを行なう髪ケア装置７を示している。この髪ケア装置７は、荷電粒子１（マイナス空気イオン）を対象物３である被施術者（人体）に向けて放出する荷電粒子（イオン）発生手段２を有する髪ケア装置本体５と、荷電粒子１が対象物３に継続して誘引／吸着されるように対象物３の電位を保持するための電位保持手段４とが別体で構成されていると共に、電位保持手段４に対して外部に設けた外部電源６により電圧供給されるようになっている。
【００１６】
先ず、荷電粒子１を放射させる機能を持った髪ケア装置本体５の一例として、ヘアードライヤー５Ａ、ブラシ付きドライヤー５Ｂ、ヘアーアイロン５Ｃ、ヘアーブラシ５Ｄを以下、順に説明する。なお、荷電粒子（イオン）発生手段２の詳細については従来技術で挙げた特開２００３−５９６２２号公報に既に開示されており、詳しい説明は省略する。
【００１７】
図６に示すヘアードライヤー５Ａは、ハウジング１０の内部に空気流路１１を形成して該空気流路１１内にファン１３とヒータ１４とを配置し、空気流路１１の上流側端部に空気吸込口１５、下流側端部に空気吐出口１６をそれぞれ設けると共に、ハウジング１０内部に荷電粒子（マイナス空気イオン）を発生可能な放電部１７を設け、高電圧発生装置（マイナス電圧発生回路）にて印加された高電圧により放電電極１８から放出される荷電粒子（マイナス空気イオン）をイオン吐出口１９から吐出するものである。なお図中の２１ａは電源スイッチ、２１ｂはスイッチ操作板である。
【００１８】
図７に示すブラシ付きドライヤー５Ｂは、持ち手を兼ねるハウジング２２の内部に、ファン２３とファン駆動用モータ２４とファン２３からの空気流を整流して送風吹出口２５から送風する送風ブロック２７と、送風吹出口２５へ送られる風を加熱するヒータブロック２６とをそれぞれ収納していて、温風又は冷風を吹き出す送風吹出口２５に面してブリスル２８を有するブラシアタッチメント２９が装着されたものであり、さらにハウジング２２の内部に荷電粒子（マイナス空気イオン）を発生可能な放電部１７を設け、高電圧発生装置（マイナス電圧発生回路）にて印加された高電圧により放電電極１８から放出される荷電粒子（マイナス空気イオン）をイオン吐出口１９から吐出するものである。なお図中の３０は電源スイッチ、３１はスイッチ操作板、３２は空気吸込口である。
【００１９】
図８に示すヘアーアイロン５Ｃは、ヘアーアイロン本体３４と挟持板３５とが互いに回転自在に接続されると共に、両者の対向面に設けた一対のアイロン板３３の少なくとも一方にヒータ３６を備え、一対のアイロン板３３の挟持面に髪を挟み込んで加熱するものであり、その内部に配置された高電圧発生装置２０（マイナス電圧発生回路）にて印加された高電圧により放電電極１７からイオン吐出口１９を介して荷電粒子を供給するものである。図中の３８は電源スイッチである。
【００２０】
図９に示すヘアーブラシ５Ｄは、ブラシ部４０とグリップ部４１とで構成されており、内部に設けた高電圧発生装置２０（マイナス電圧発生回路）にて印加された高電圧により放電部１７の放電電極１８から荷電粒子（マイナス空気イオン）を発生させてブラシ部４０中央に開口したイオン吐出口１９から吐出させるものである。本例では高電圧発生装置２０はグリップ部４１の内部に配置され、放電電極１８がブラシ部４０の前面に設けられたイオン吐出口１９の背後に面して配置されている。
【００２１】
以上例示したヘアードライヤー５Ａ、ブラシ付きドライヤー５Ｂ、ヘアーアイロン５Ｃ、ヘアーブラシ５Ｄ等のような髪ケア装置本体５は、いずれも、荷電粒子１（図１）を放出する機能を有するものであり、さらに髪ケア装置本体５と後述の電位保持手段４とを組み合わせることによって、多くの荷電粒子１を対象物３に継続して誘引／吸着させる機能を発揮するものである。
【００２２】
図１（ａ）の実施形態は、前述した荷電粒子（イオン）発生手段２を有する髪ケア装置本体５とは別体に、電位保持手段４を設けたものである。この電位保持手段４は、対象物３の電位を荷電粒子１の持つ電荷と反対の電位に保持することで、荷電粒子１が対象物３に継続して誘引／吸着されるようにするためのものであり、荷電粒子１の電荷がマイナスの場合はプラス電圧発生回路を用いて構成され、電荷がプラスの場合はマイナス電圧発生回路を用いて構成される。なお、電位保持手段４の詳細については従来技術で挙げた特開２００３−５９６２２号公報に既に開示されており、詳しい説明は省略する。
【００２３】
さらに、電位保持手段４に電圧を供給する電源は、電位保持手段４内部に設けられるものではなく、外部電源６で構成される。外部電源６として例えば商用交流電源６ａ（図１（ｂ））或いは乾電池６ｂ（図１（ｃ））を用いることができる。
【００２４】
しかして、本構成の髪ケア装置７においては、髪ケア装置本体５とは別体の電位保持手段４を対象物３に接続することによって、対象物３である被施術者自らが髪ケアを行なう場合だけでなく、例えば美容室や理容室、エステティックサロン等のように他人に髪ケアを行なってもらう場合であっても、電位保持手段４によって対象物３の電位を継続して荷電粒子１と反対の電位、若しくは荷電粒子１の電位よりも低いレベルに保持することができると共に荷電粒子（イオン）発生手段２から荷電粒子１が対象物３に当たり続けることができるようになり、結果、より多くの荷電粒子１を対象物３に誘引／吸着させることができるようになるので、荷電粒子１を形成している物質が継続して毛髪に作用（付着）して、毛髪がしっとり、さらさらになる効果を高めることができる。しかも、電位保持手段４の内部に電源を設けずに、外部電源６としたことにより、電位保持手段４の小型化・軽量化を容易に達成できるので、電位保持手段４を対象物３に対して楽に接続できる効果も得られる。
【００２５】
図２の実施形態は、前記電位保持手段４を、対象物３である被施術者が手で握ることができる導電性を有するグリップ形状部８０とした場合の一例である。本例では、対象物３が電位保持手段４を手で握ることにより、対象物３が電位保持手段４と電気的に接続されることになる。しかして、対象物３がグリップ形状部８０を手で握るという簡単な行為で、髪ケア装置本体５に触れなくても、対象物３は電位保持手段４と接続された状態となり、髪ケア装置本体５から放出される荷電粒子１の誘引／吸着を受けることができるようになり、しかも持ち運びが可能な状態で電位保持手段４との接続を容易に行なうことができるので使い勝手が良好となる。
【００２６】
図３の実施形態は、前記電位保持手段４を対象物３である被施術者が座る椅子５０の一部に配置した場合の一例である。本例の電位保持手段４は、図３（ａ）の肘掛け５１の一部を構成したり、或いは図３（ｂ）の背もたれ５２の一部を構成したり、或いは図３（ｃ）の座部５３の一部を構成している。また図３（ｄ）のように椅子用クッション５４の内部に組み込んだ構成であってもよい。しかして、対象物３が椅子５０に座った状態で髪ケア装置７の施術を受ける場合において、電位保持手段４が椅子５０の一部に設置されたり、椅子用クッション５４に組込まれているので、対象物３が椅子５０に座って髪ケア装置７を使用中には電位保持手段４と接触するようになる。これにより、対象物３は電位保持手段４と接続された状態となり、髪ケア装置本体５から放出される荷電粒子１の誘引／吸着を受けることができるようになる。しかも椅子５０の一部として電位保持手段４を構成したので、対象物３が髪ケア装置本体５に触れなくても椅子５０に座るという簡単な行為で済み、そのうえ両手が制約されない自由な座り姿勢で髪ケア装置本体５からの荷電粒子１の誘引／吸着を受けることができるようになる。
【００２７】
図４の実施形態は、前記電位保持手段４が、対象物３である被施術者の足を乗せる導電性を有する足乗台７０に収納されている。電位保持手段４には外部電源６により電圧供給されており、対象物３が足乗台７０上に乗るだけでその内部に配置した電位保持手段４と電気的接続された状態となる。しかして、対象物３が電位保持手段４上に乗るだけの簡単な行為で、対象物３が電位保持手段４と同じ電位となるので、髪ケア装置本体５から放出される荷電粒子１の誘引／吸着を受けることができる。
【００２８】
図５の実施形態は、前記電位保持手段４が、対象物３である被施術者に対して着脱可能な導電性を有する接続部材６０を備えた場合の一例である。接続部材６０は対象物３に対して着脱可能に接続するものであり、例えばクリップで構成されており、この接続部材６０を対象物３の体の一部に接続するだけで、対象物３は電位保持手段４の電位と等電位を得ることができる。従って、対象物３は電位保持手段４に直接接触することなく、髪ケア装置本体５から放出される荷電粒子１の誘引／吸着を受けることができる。
【００２９】
なお、前記各実施形態では、対象物３として被施術者の毛髪に荷電粒子１を付着させる場合を説明したが、勿論毛髪以外に、被施術者の体表面（皮膚、肌等）に荷電粒子を付着させて、美容、治療などの処理を行なう用途であってもよい。
【図面の簡単な説明】
【００３０】
【図１】本発明の髪ケア装置の一実施形態であり、（ａ）は髪ケア装置本体と電位保持手段とを別体で構成すると共に電位保持手段の電源を外部電源とした場合において、髪ケア装置本体からの荷電粒子を対象物に付着させるメカニズムを説明する模式図であり、（ｂ）は外部電源としての交流電源を示し、（ｃ）は外部電源としての乾電池を示す図である。
【図２】同上の電位保持手段を対象物である被施術者が手で握ることができる形状とした場合の模式図である。
【図３】（ａ）〜（ｄ）は同上の電位保持手段を対象物である被施術者が座る椅子の一部で構成した場合の説明図である。
【図４】同上の電位保持手段を対象物である被施術者の足を乗せる形状とした場合の模式図である。
【図５】同上の電位保持手段に対象物である被施術者に対して着脱可能な接続部材を設けた場合の模式図である。
【図６】（ａ）は同上の髪ケア装置本体がヘアードライヤーである場合の断面図、（ｂ）は放電部付近の拡大断面図である。
【図７】（ａ）は同上の髪ケア装置本体がブラシ付きドライヤーである場合の断面図、（ｂ）（ｃ）はブラシを取り外した本体部の側面断面図、平面断面図である
【図８】（ａ）は同上の髪ケア装置本体がヘアーアイロンである場合の斜視図、（ｂ）は側面図、（ｃ）は側面断面図である。
【図９】（ａ）は同上の髪ケア装置本体がヘアーブラシある場合の側面断面図、（ｂ）正面図である。
【図１０】従来の髪ケア装置内の電位保持手段からの荷電粒子を対象物に付着させるメカニズムを説明する模式図である。
【符号の説明】
【００３１】
１  荷電粒子
２  荷電粒子（イオン）発生手段
３  対象物
４  電位保持手段
５  髪ケア装置本体
６  外部電源
７  髪ケア装置
５０  椅子
６０  接続部材
【図１】
0004894751.tif 000002
【図２】
0004894751.tif 000003
【図３】
0004894751.tif 000004
【図４】
0004894751.tif 000005
【図５】
0004894751.tif 000006
【図６】
0004894751.tif 000007
【図７】
0004894751.tif 000008
【図８】
0004894751.tif 000009
【図９】
0004894751.tif 000010
【図１０】
0004894751.tif 000011